(57)【特許請求の範囲】
【請求項１】
大気圧以上の高圧ガスが封入されたランプの発光部を囲繞するランプ保護カバーであって、
軸部と、該軸部を中心として回転可能に連結され、開閉自在な２つの樹脂製の容器半体と、
該容器半体の軸方向両端に設けられた該ランプの口金を保持する保持部と、
該保持部に設けられた開口部と、
該容器半体の内側に設けられたランプ収容部と、
該容器半体同士の対向する該ランプ収容部の縁部に設けられた軸方向に沿って延在する端面部と、
一方の容器半体の端面部と連続した面を有し、該端面部を該軸方向に対して直交する断面内で、ランプ収容部内に延伸し他方の容器半体まで伸びて垂下させた可撓性を有する突起部と、
該保護カバーを閉じた状態のときに、該容器半体が回転することを規制するストッパーと、を備え、
該突起部が、他方の容器半体の縁部近傍の内壁面と当接して面接触していることを特徴とするランプ保護カバー。
【請求項２】
前記２つの容器半体の各々に前記突起部が形成されていることを特徴とする請求項１に記載のランプ保護カバー。
【請求項３】
前記保護カバーのランプ収容部は、軸方向に直交する断面が多角形状であることを特徴とする請求項１または２のいずれかに記載のランプ保護カバー。
【請求項４】
前記容器半体の各々の縁部には外方に突出するガイドレールが形成されており、
前記ストッパーは、該各々のガイドレールを両側から挟んで保持することを特徴とする請求項１ないし３に記載のランプ保護カバー。
【発明の詳細な説明】
【技術分野】
【０００１】
本発明はランプの保護カバーに関する。特にガラス製の発光管内に高圧ガスが封入されたランプの保護カバーに関する。
【背景技術】
【０００２】
デジタルシネマ用光源などに用いられるショートアーク型放電ランプは、ガラス製発光管の内部に大気圧よりも高い圧力でキセノンなどの放電ガスが封入されている。
このような放電ランプが万が一破裂した場合には、周囲にガラスの破片が飛び散ることとなり非常に危険であるため、輸送時、保管時など点灯時以外は保護カバー内に収容され、取り扱われる。
【０００３】
例えば、実開昭５８−１３６３１３号公報には、この種のショートアーク型放電ランプの保護カバーが開示されており、半割りにされる容器本体が長手方向を軸として回転して開閉する構造が記載されている。図５にその構造を示す。
また、特表２００９−５４１９６１号公報では、従来例としてランプの長手方向軸線に対して平行に切断された、２つの対称的なハーフシェル形状の保護カバーが公知であることが開示されている。
【０００４】
図５は、従来（特許文献１）のランプ保護カバーを示す全体図である。
ランプ５０の保護カバー６０は略箱状の容器であり、その中央にランプ５０の発光部５１を収容する収容部６１を有し、ランプ管軸方向の両端が絞られた首部６２、６２を有する。
保護カバー中央の収容部６１は、首部６２よりも容積の大きい収容空間を有している。
この保護カバー６０は、ランプ管軸方向に沿って水平に切断され、ほぼ対称に分割される２つの半体６３、６４より構成されており、ランプ管軸方向と同じ方向に伸びるように配置されるシャフト６５によって連結される。
これにより、半体６３、６４がシャフトを回転軸として回転し、保護カバー６０の開閉がなされる構造となっている。
【０００５】
図示しないが、保護カバーの閉じたときに、この状態を保持するために適宜のストッパーが設けられる。
以上の機構により、保護カバー内部で万が一ランプが破裂したとしても、ガラス片が周囲に飛び散ることなく保護カバー内に閉じ込められ、周囲に危険を及ぼすことがない。
【先行技術文献】
【特許文献】
【０００６】
【特許文献１】実開昭５８−１３６３１３号公報
【特許文献２】特表２００９−５４１９６１号公報
【発明の概要】
【発明が解決しようとする課題】
【０００７】
しかしながら、この種の保護カバーに収容されるショートアーク型放電ランプは、最近の高輝度化のために内部に封入する放電ガスの圧力が上昇している。
そのため、保護カバー内でランプが破裂した場合のガス圧力は従来の比ではなく、ロック機構を破壊して保護カバーを裂開させるほどである。
このような問題を解決する手段として、ガスの抜け穴を保護カバーに形成する手法も考えられるが、破裂したガラス片が通過してしまうほど大きい穴では意味が無く、小さい穴ではガスが抜けるのに時間がかかり、ランプ破裂の瞬間にかかる圧力を低減することはできないという問題がある。
【０００８】
以上により、本発明はガラス製の発光管の内部に高圧ガスが封入されたランプの保護カバーにおいて、破裂時の瞬間的な高圧ガスの圧力に耐久できる保護カバーを提供することを目的とする。
【課題を解決するための手段】
【０００９】
上記課題を解決するため、本発明は、大気圧以上の高圧ガスが封入されたランプの発光部を囲繞するランプ保護カバーであって、軸部と、該軸部を中心として回転可能に連結され、開閉自在な２つの樹脂製の容器半体と、該容器半体の軸方向両端に設けられた該ランプの口金を保持する保持部と、該保持部に設けられた開口部と、該容器半体の内側に設けられたランプ収容部と、該容器半体同士の対向する該ランプ収容部の縁部に設けられた軸方向に沿って延在する端面部と、一方の容器半体の端面部と連続した面を有し、該端面部を該軸方向に対して直交する断面内で、ランプ収容部内に延伸し他方の容器半体まで伸びて垂下させた可撓性を有する突起部と、該保護カバーを閉じた状態のときに、該容器半体が回転することを規制するストッパーと、を備え、該突起部が、他方の容器半体の縁部近傍の内壁面と当接して面接触していることを特徴とする。
また、本発明は、前記２つの容器半体の各々に前記突起部が形成されていることを特徴とする。
また、本発明は、前記保護カバーのランプ収容部は、軸方向に直交する断面が多角形状であることを特徴とする。
また、本発明は、前記容器半体の各々の縁部には外方に突出するガイドレールが形成されており、前記ストッパーは、該各々のガイドレールを両側から挟んで保持することを特徴とする。
【発明の効果】
【００１０】
本発明によれば、容器半体に形成された突起部と、他方の容器半体の内壁面とが互いに当接しており、破裂時の高圧ガスによりこの面での摩擦力が発生する。この摩擦力が、保護カバーが開く方向に生じる力を低減することができる。
その間に保護カバーからガスが抜けて内部圧力が弱まり、破裂直後の内部圧力が最も高い瞬間に保護カバーが破損せずに維持され、ランプの破片などが周囲に飛散するといった状態を回避することができる。
また、本発明によれば、突起部の端面部の裏面部に対して圧力が生じる。この圧力は、保護カバーを閉じようとする力であり、保護カバーの内壁全体にかかる、保護カバーを開けようとする力を軽減する。すなわち、突起部の端面部の裏面部にかかる圧力を、保護カバーを閉じようとする力として利用することができる。
【図面の簡単な説明】
【００１１】
【図１】本発明にかかるランプ保護カバーの外観を示す（ａ）正面図および（ｂ）側面図、（ｃ）保護カバーを開いたときの側面図である。
【図２】本発明にかかるランプ保護カバーの第一の実施形態を示すための（ａ）正面図および（ｂ）Ａ−Ａ’線断面図である。
【図３】本発明の効果を示すための模式図であり、（ａ）は比較例、（ｂ）は本発明を示す図である。
【図４】本発明にかかるランプ保護カバーの第二の実施形態を示す図である。
【図５】従来例にかかるランプ保護カバーを示す図である。
【発明を実施するための形態】
【００１２】
図１は本発明にかかるランプ保護カバーの外観を示す図であり、（ａ）は上方からみた正面図を、（ｂ）は側面図を、（ｃ）はこのランプ保護カバーを開いたときの側面図を示している。また、図(ａ）においてランプを収容した場合のランプの固定位置を点線で示した。なお、図１(ａ）においては紙面の左右方向を軸方向、図１（ｂ）および（ｃ）においては紙面の手前奥方向を軸方向とする。
【００１３】
図１（ａ）において、保護カバー１０は、例えば、ポリカーボネート等からなる透明な樹脂製の略八角筒形状を有する収納容器であり、ランプ２０の発光部２１を囲繞するランプ収容部１１と、ランプの口金２２、２２などを保持する軸方向両端の絞られた保持部１２、１２を有している。
保護カバーを構成する材料としては、ＰＣ（ポリカーボネート）のほかに、ABS（アクリロニトリル・ブタジエン・スチレン）等の合成樹脂が好適に用いられる。また、保護カバー自体の厚みは、例えば３ｍｍ程度である。
保護カバー１０の中央に位置するランプ収容部１１は、ランプの寸法、形状に応じて適宜構成される。例えば、ショートアーク型放電ランプであれば、発光部の外径が最も大きくなる形状であるために、それに合わせてランプ収容部１１の内容積が大きい寸法とされる。
【００１４】
保護カバー１０の容器半体１６、１７の外面には、縁部１６１、１７１より外方に向かって突出し、軸方向に沿ったガイドレール１３、１３とが形成されており、このガイドレール１３、１３上を摺動可能にストッパー１４、１４が取り付けられている。
また、内部に貫通孔が軸方向に形成された軸保持部１８が、保護カバー１０と一体に、外方に突出するように形成され、１本のシャフトである軸部１５が挿入されている。
【００１５】
図１（ｂ）および（ｃ）に示すように、保護カバー１０は、略同一の形状である一対の容器半体１６、１７より構成される。個々の容器半体は、保護カバー１０を、長手方向に沿って半分に切断した形状をしている。
容器半体１６と、１７は、軸保持部１８に挿入された軸部１５によって、この軸部１５を中心軸として回転可能に連結されており、回転方向に開閉が自在である。
【００１６】
保護カバー１０が閉じた状態では、各々の容器半体１６、１７に形成されたガイドレール１３、１３が合体してＴ字形状を構成するように当接する。
また、ガイドレールの軸方向の一部には、保護カバーが開いた状態でもＴ字状であるストッパー保持部１３１が形成されており、このストッパー１３１が形成された部分と対向する容器半体にはガイドレール部分は形成されない。
すなわち、保護カバーが開いた状態では、ガイドレール１３、１３は分離しており、このときはストッパー保持部１３１に略コの字型のストッパー１４が退避して保持されている。
保護カバーを閉じるときは、ストッパー１４が、ストッパー保持部１３１よりガイドレール１３、１３側に摺動し、ガイドレール１３、１３を両側から挟みこむように保持している。
このように、ストッパー１４がガイドレール１３、１３を保持した状態のときは、各々の半体１６、１７の回転方向の移動は規制される。保護カバー１０を開きたいときは、ストッパー１４を軸方向に沿って摺動させ、ストッパー保持部１３１に退避させることによりロックを解除する。このようなストッパー１４を用いると、開閉状態にかかわらず、ストッパーと保護カバーとが分離することが無く、取り扱いが容易である。
なお、保護カバー１０のロック機構はこのような態様に限定されず、適宜その他の構成を採用することができる。
【００１７】
保持部１２の軸方向の端面は開放されており、開口部１９が形成されている。この開口部１９は、保護カバー１０内にランプ２０を載置した際にランプ２０の封止部や口金２２、２２を外方に突出させるための孔である。
保持部１２の内壁とのランプとの間には隙間が生じる。ランプ２０破裂時にはこの隙間よりガスを逃がし、保護カバー１０内の圧力を徐々に低下させることができる。
なお、保持部１２には、ランプを保持するためのサポーター（不図示）を設けてもよい。その場合はサポーターに孔などを設けてガスを逃がせる構造としてもよい。
【００１８】
図２は本発明の第一の実施形態を示す図であり、（ａ）は図１（ａ）と同じく上方からみたときの正面図、（ｂ）は軸方向に対して直交する断面となるＡ−Ａ’線断面図である。
図２（ｂ）に示す断面図において、保護カバー１０は、全体として外郭が略八角形の形状をしており、上方の容器半体１６の内側にはランプ収容部１１aが、下方の容器半体１７の内側にもランプ収容部１１ｂとなる空間が形成されている。
そして、各々の容器半体の縁部１６１、１７１の端面に形成された、軸方向に沿って延在する端面部１６２、１７２が互いに当接し、保護カバー１０全体のランプ収容部１１を構成する。
【００１９】
容器半体１６の縁部１６１には、この図において端面部１６２よりランプ収容部１１内に延伸する突起部１６３が形成されている。
具体的には、上方の容器半体１６の縁部１６１の端面部１６２と連続した面を有し、紙面下方に垂下した舌状の突起部１６３が形成されている。この突起部１６３は、他方の容器半体１７の縁部１７１の端面部１７２と連続した面である縁部１７１近傍の内壁面に当接しているか、近接している。
すなわち、端面部１６２と、端面部１７２とは必ずしも常に密着している必要はなく、ランプ破裂時に保護カバー内の圧力が上昇した際に互いに押し当てられる位置関係であればよい。
【００２０】
突起部１６３はランプ収容部１１内の軸方向全体にわたって形成され、軸方向全体的に他方の容器半体１７の内壁面と当接していることが好ましいが、軸方向に対して一部不連続となって断続的に形成された突起部１６３であってもよい。
保護カバー１０の中心にはランプ２０が載置され保持されるため、突起部１６３はこれを妨げない範囲に設けられる。
【００２１】
図３は、本発明の効果を説明するための模式図であり、（ａ）は比較例として突起部のない保護カバーを示し、（ｂ）は図２（ｂ）と同様に本発明の保護カバーを示している。
図３（ａ）において、発光管内に大気圧以上の高圧、例えば静圧で０．５ＭＰａ〜２．０ＭＰａ気圧程度の内部圧力となるガスが封入されたランプ２０が保護カバー１０内で破裂した場合、ガスが保護カバー１０内に放出されてもなお、保護カバー１０内の圧力は瞬間的には大気圧を大きく上回る。
ガスは全方位に向けて放出され、保護カバー１０の内壁には、カバーを開けようとする方向に負荷がかかる。
【００２２】
ここで、保護カバー１０の内側にはこのガス圧による力に対して対抗する部分が無い。そのため、ガス圧は直接的に保護カバー１０の内壁に対してかかる。そして、ストッパー１４は、この保護カバー１０を開けようとする力に耐え切れなくなり、破損するなどしてガイドレールから外れ、保護カバー１０が開いてしまう。
また、ストッパー１４が破損しなかったとしても、ガイドレール１３が耐え切れずに破損した場合には保護カバー１０が開いてしまう。
【００２３】
なお、軸部１５によって連結された反対側は、軸方向全体にわたって挿入された軸部１５により保持されており、ストッパー１４が設けられた側と比較して相対的に耐久性が高いため、開きにくい。
【００２４】
図３（ｂ）に示すように、本発明では一方の容器半体１６の端面部１６２より連続する面を有する突起部１６３が形成されている。この突起部１６３は、保護カバー１０が閉じた状態で他方の容器半体１７の内壁と、例えば当接した関係になっている。
図３(ａ）と同様に、ランプ２０が保護カバー１０内で破裂した場合、保護カバー１０の内壁にはカバーを開けようとする方向に負荷がかかる。
このとき、容器半体は樹脂製であることから一定の可撓性を有しており、突起部１６３が変形して容器半体１７の内壁面に押し当てられる。
【００２５】
押し当てられた突起部１６３とこの内壁面とは互いに面接触しており、この面での摩擦力が発生する。この摩擦力は突起部１６３を押すガス圧力が高いほど強くなる。
摩擦力が、保護カバー１０が開けようとする力を妨げるため、ランプ２０破裂事にストッパーやガイドレールにかかる力を低減することができる。
その間に保護カバー１０の両端に設けられた保持部１２、１２の開口部１９、１９からガスが抜けて内部圧力が弱まり、破裂直後の内部圧力が最も高い瞬間に保護カバー１０が破損せずに維持され、ランプの破片などが周囲に飛散するといった状態を回避することができる。
【００２６】
なお、保護カバー１０は樹脂製で可撓性を有しており、特にランプ収容部１１の部分は、軸方向に直交する断面において多角形状に形成されているため、内部圧力によって円形に拡張するよう変形する余地を残している。これにより、ランプ破裂の瞬間には、保護カバー１０が円形に膨らむように変形することによって衝撃を緩和するという効果がある。
【００２７】
図４は本発明の第二の実施形態を示す図であり、図２（ｂ）と同様に、ランプ保護カバーの軸方向に対して直交する断面図である。また、効果を示すための模式図も兼ねている。
なお、図２（ｂ）において説明した構成については、本図と同様であるから説明を省略する。
【００２８】
この図において、一対の容器半体１６、１７のいずれにも、縁部１６１、１７１の端面部１６２、１７２より連続してランプ収容部１１内に延伸する平板状の突起部１６３、１７３が形成されている。
保護カバー１０が閉じた状態では、この突起部１６３、１７３は互いに端面部１６２、１７２が対向して当接し、面接触している状態である。さらに、突起部１６３、１７３は軸方向に沿って全体的に形成されている。
【００２９】
図３と同様に、保護カバー１０内でランプが破裂した場合、高圧ガスによる負荷が保護カバーの内壁に対してかかる。このとき、突起部１６３、１７３の端面部１６２、１７２の裏面部１６４、１７４に対して圧力が生じる。
この圧力は、保護カバー１０を閉じようとする力であり、保護カバー１０の内壁全体にかかる、保護カバー１０を開けようとする力を軽減する。
また、突起部１６３、１７３にかかる圧力により、端面部１６２、１７２で発生する摩擦力が保護カバー１０を開けにくくする。
以上により、本実施形態においても第一の実施形態と同様の効果に加えて、突起部の端面部の裏面部にかかる圧力を、保護カバーを閉じようとする力として利用することができる。
【００３０】
なお、突起部１６３、１７３はランプ収容部１１内の軸方向全体にわたって形成され、軸方向全体的に他方の容器半体の内壁面と当接していることが好ましいが、軸方向に対して一部不連続となって断続的に形成された突起部であってもよい。
【符号の説明】
【００３１】
１０    保護カバー
１１    ランプ収容部
１１ａ  ランプ収容部
１１ｂ  ランプ収容部
１２    保持部
１２    保持部
１３    ガイドレール
１４    ストッパー
１５    軸部
１６    容器半体
１６１  縁部
１６２  当接面部
１６３  突起部
１６４  裏面部
１７    容器半体
１７１  縁部
１７２  当接面部
１７３  突起部
１７４  裏面部
１８    軸保持部
１９    開口部
２０    ランプ
２１    発光部
２２    口金
５０    ランプ
５１    発光部
５２    口金
６０    保護カバー
６１    収容部
６２    首部
６３    半体
６４    半体
６５    シャフト
【図１】
0005594064.tif 000002
【図２】
0005594064.tif 000003
【図３】
0005594064.tif 000004
【図４】
0005594064.tif 000005
【図５】
0005594064.tif 000006